(57)【要約】【課題】セグメント間における駆動電流の応答速度の差が低減された表示装置を提供する。【解決手段】表示装置１では、３つのセグメント２０Ａ、２０Ｂ、２０Ｃは、下部電極１６の面積Ｓ１と被覆配線３２の面積Ｓ２との総面積Ｓが同一であり、駆動電流が供給されたときに同じ応答速度で応答する。そして、セグメント２０間における駆動電流の応答速度に差がないため、パルス幅変調により輝度調整した場合であっても、セグメント２０間の輝度差が生じない。【選択図】図３
2019021388.tif 000002
【特許請求の範囲】
【請求項１】
基板上に表示エリアが設けられたセグメント表示型の表示装置であって、
前記基板上の前記表示エリアに位置する複数の下部電極と、
前記複数の下部電極のそれぞれの上に設けられた複数の有機ＥＬ層と、
前記下部電極上に設けられた前記有機ＥＬ層それぞれに供給すべき駆動電流を出力可能な駆動回路と、
前記基板上に形成され、前記駆動回路から出力された駆動電流を前記複数の下部電極それぞれに供給する複数の配線と、
前記表示エリアに形成され、前記各有機ＥＬ層を露出させる複数の開口部を有するとともに、前記配線を覆う絶縁膜と、
前記表示エリアに形成され、前記絶縁膜および前記有機ＥＬ層を覆う上部電極と
を備え、
前記複数の下部電極のうちの第１の下部電極の面積と、前記複数の配線のうちの前記第１の下部電極に接続された第１の配線の前記表示エリアにおける面積との和が、前記複数の下部電極のうちの前記第１の下部電極とは異なる第２の下部電極の面積と、前記複数の配線のうちの前記第２の下部電極に接続された第２の配線の前記表示エリアにおける面積との和が等しい、表示装置。
【請求項２】
前記第１の下部電極の面積と前記第１の配線の前記表示エリアにおける面積との比が、前記第２の下部電極の面積と前記第２の配線の前記表示エリアにおける面積との比と等しい、請求項１に記載の表示装置。
【請求項３】
基板上に表示エリアが設けられたセグメント表示型の表示装置であって、
前記基板上の前記表示エリアに位置する複数の下部電極と、
前記複数の下部電極のそれぞれの上に設けられた複数の有機ＥＬ層と、
前記下部電極上に設けられた前記有機ＥＬ層それぞれに供給すべき駆動電流を出力可能な駆動回路と、
前記基板上に形成され、前記駆動回路から出力された駆動電流を前記複数の下部電極それぞれに供給する複数の配線と、
前記表示エリアに形成され、前記各有機ＥＬ層を露出させる複数の開口部を有するとともに、前記配線を覆う絶縁膜と、
前記表示エリアに形成され、前記絶縁膜および前記有機ＥＬ層を覆う上部電極と
を備え、
前記複数の下部電極のうちの第１の下部電極の面積と、前記複数の配線のうちの前記第１の下部電極に接続された第１の配線の前記表示エリアにおける面積との比が、前記複数の下部電極のうちの前記第１の下部電極とは異なる第２の下部電極の面積と、前記複数の配線のうちの前記第２の下部電極に接続された第２の配線の前記表示エリアにおける面積との比と等しい、表示装置。
【請求項４】
前記駆動回路が、前記複数の下部電極に対して異なる電流値の駆動電流を出力可能である、請求項１〜３のいずれか一項に記載の表示装置。
【請求項５】
前記絶縁膜が無機材料で構成された無機絶縁膜である、請求項１〜４のいずれか一項に記載の表示装置。
【発明の詳細な説明】
【技術分野】
【０００１】
本発明は、表示装置に関する。
【背景技術】
【０００２】
近年、表示装置として、有機ＥＬ層（ＥＬ：Electro-Luminescence）を発光層とする自発光型表示装置が脚光を浴びている。このような表示装置として、有機ＥＬ層を含む積層構造が形成された表示要素（いわゆる、セグメント）が表示エリアに複数配置されたセグメント表示型の表示装置が知られている。セグメント表示型の表示装置では、駆動回路から所定の配線を介して各セグメントに駆動電流が供給されると、各セグメントにおける有機ＥＬ層が発光して、各セグメントが点灯する。たとえば下記特許文献１には、シースルー構造のセグメント表示型の有機ＥＬパネルが開示されている。
【先行技術文献】
【特許文献】
【０００３】
【特許文献１】特開２０１６−１００１２６号公報
【発明の概要】
【発明が解決しようとする課題】
【０００４】
上述したセグメント表示型の表示装置では、セグメントの領域および配線の領域において陽極と陰極とが対向配置されており、これらの領域に設計上意図していない容量成分（いわゆる、寄生容量）が生じる。発明者らは、このような寄生容量がセグメントの駆動電流の応答速度に影響して、セグメント間における駆動電流の応答速度の差を生じさせているとの知見を得た。
【０００５】
セグメント間において応答速度の差が大きい場合には、たとえばパルス幅変調（ＰＷＭ）によって輝度制御する際、駆動電流の応答速度が遅いセグメントの輝度が顕著に低下してしまうという不具合が生じ得る。
【０００６】
本発明は、セグメント間における駆動電流の応答速度の差が低減された表示装置を提供することを目的とする。
【課題を解決するための手段】
【０００７】
本発明の一態様に係る表示装置は、基板上に表示エリアが設けられたセグメント表示型の表示装置であって、基板上の表示エリアに位置する複数の下部電極と、複数の下部電極のそれぞれの上に設けられた複数の有機ＥＬ層と、下部電極上に設けられた有機ＥＬ層それぞれに供給すべき駆動電流を出力可能な駆動回路と、基板上に形成され、駆動回路から出力された駆動電流を複数の下部電極それぞれに供給する複数の配線と、表示エリアに形成され、各有機ＥＬ層を露出させる複数の開口部を有するとともに、配線を覆う絶縁膜と、表示エリアに形成され、絶縁膜および有機ＥＬ層を覆う上部電極とを備え、複数の下部電極のうちの第１の下部電極の面積と、複数の配線のうちの第１の下部電極に接続された第１の配線の表示エリアにおける面積との和が、複数の下部電極のうちの第１の下部電極とは異なる第２の下部電極の面積と、複数の配線のうちの第２の下部電極に接続された第２の配線の表示エリアにおける面積との和が等しい。
【０００８】
発明者らは、第１の下部電極の面積と第１の配線の表示エリアにおける面積との和が、第２の下部電極の面積と第２の配線の表示エリアにおける面積との和が等しい場合、セグメント間における駆動電流の応答速度の差が低減されることを新たに見出した。すなわち、上記表示装置においては、セグメント間における駆動電流の応答速度の差の低減を実現することができる。そのため、駆動電流の応答速度の差に起因する、セグメント間の輝度差を低減することができる。
【０００９】
本発明の他の態様に係る表示装置では、第１の下部電極の面積と第１の配線の表示エリアにおける面積との比が、第２の下部電極の面積と第２の配線の表示エリアにおける面積との比と等しい。この場合、セグメント間における駆動電流の応答速度の差がさらに低減され、セグメント間の輝度差をさらに低減することができる。
【００１０】
本発明の他の態様に係る表示装置では、基板上に表示エリアが設けられたセグメント表示型の表示装置であって、基板上の表示エリアに位置する複数の下部電極と、複数の下部電極のそれぞれの上に設けられた複数の有機ＥＬ層と、下部電極上に設けられた有機ＥＬ層それぞれに供給すべき駆動電流を出力可能な駆動回路と、基板上に形成され、駆動回路から出力された駆動電流を複数の下部電極それぞれに供給する複数の配線と、表示エリアに形成され、各有機ＥＬ層を露出させる複数の開口部を有するとともに、配線を覆う絶縁膜と、表示エリアに形成され、絶縁膜および有機ＥＬ層を覆う上部電極とを備え、複数の下部電極のうちの第１の下部電極の面積と、複数の配線のうちの第１の下部電極に接続された第１の配線の表示エリアにおける面積との比が、複数の下部電極のうちの第１の下部電極とは異なる第２の下部電極の面積と、複数の配線のうちの第２の下部電極に接続された第２の配線の表示エリアにおける面積との比と等しい。
【００１１】
発明者らは、第１の下部電極の面積と第１の配線の表示エリアにおける面積との比が、第２の下部電極の面積と第２の配線の表示エリアにおける面積との比が等しい場合、セグメント間における駆動電流の応答速度の差が低減されることを新たに見出した。すなわち、上記表示装置においては、セグメント間における駆動電流の応答速度の差の低減を実現することができる。そのため、駆動電流の応答速度の差に起因する、セグメント間の輝度差を低減することができる。
【００１２】
本発明の他の態様に係る表示装置では、駆動回路が、複数の下部電極に対して異なる電流値の駆動電流を出力可能である。
【００１３】
本発明の他の態様に係る表示装置では、絶縁膜が無機材料で構成された無機絶縁膜である。無機絶縁膜は薄膜化が容易であり、絶縁膜を薄くすることで下部電極および配線と上部電極との間に生じる寄生容量が増大する。このような場合でも、第１の下部電極の面積および第１の配線の表示エリアにおける面積と、第２の下部電極の面積および第２の配線の表示エリアにおける面積とが、上記の関係を満たす場合には、セグメント間の応答速度の差が低減され、応答速度の差に起因するセグメント間の輝度差が効果的に低減される。
【発明の効果】
【００１４】
本発明の様々な態様によれば、セグメント間における駆動電流の応答速度の差が低減された表示装置が提供される。
【図面の簡単な説明】
【００１５】
【図１】図１は、実施形態に係る表示装置を示す平面図である。
【図２】図２は、図１の表示装置の陰極および絶縁膜を省略した平面図である。
【図３】図３は、図１の表示装置の断面図である。
【図４】図４は、セグメントに供給した電流の過渡的な挙動を示したグラフであり、（ａ）下部電極の面積と被覆配線の面積の和が小さい場合と、（ｂ）大きい場合を示している。
【発明を実施するための形態】
【００１６】
以下、添付図面を参照して、本発明の好適な実施形態について詳細に説明する。なお、以下の説明において、同一要素又は同一機能を有する要素には、同一符号を用いることとし、重複する説明は省略する。
【００１７】
図１、２に示すように、実施形態に係る表示装置１は、基板１０上に設けられた表示エリア６０に複数のセグメント２０（本実施形態では、３つのセグメント２０Ａ、２０Ｂ、２０Ｃ）を有する、いわゆるセグメント表示型の有機ＥＬディスプレイである。セグメント２０は、たとえば図形、記号、文字、数字、アイコン等を表すことができ、１又は複数の組み合わせで所定の情報を表すことができる。各セグメント２０は、基板１０上に設けられた配線３０を介して駆動回路４０から所定の駆動電流が供給されると点灯する。本実施形態では、表示装置１は、１つのセグメント２０に対して１本の配線が取り付けられたスタティック駆動型である。また、表示装置１はシースルー構造を有する。
【００１８】
表示装置１の積層構造について、図３の断面図を参照しつつ説明する。図３は、図１のＡ−Ａ線、Ｂ−Ｂ線、Ｃ−Ｃ線に沿って切断された断面に相当する断面図である。
【００１９】
基板１０は、透明性を有し、平面視にて例えば矩形状である。基板１０としては、たとえばガラス基板またはプラスチック基板を用いることができる。基板１０は可撓性を有してもよく、この場合、たとえばＰＥＴフィルム（ポリエチレンテレフタレートフィルム）やＰＩフィルム（ポリイミドフィルム）等の樹脂フィルムを用いることができる。
【００２０】
第１絶縁膜１２は、基板１０の一方の主面を全体的に覆うように設けられた透明膜である。第１絶縁膜１２は、たとえば酸化ケイ素膜、窒化ケイ素膜、酸化窒化ケイ素膜、または酸化アルミニウム膜等である。第１絶縁膜１２は、たとえばＣＶＤ法（化学気相蒸着法）によって形成することができる。
【００２１】
下部電極１６は、第１絶縁膜１２上であって、各セグメント２０の領域に設けられた陽極である。下部電極１６は、パターニングされた透明導電層で構成される。透明導電層は、単層であってもよく、複数層であってもよい。透明導電層の材料には、たとえばＩＴＯ（酸化インジウムスズ）またはＩＺＯ（酸化インジウム亜鉛）を用いることができる。下部電極１６は、たとえばＰＶＤ法（物理気相蒸着法）によって形成することができる。
【００２２】
配線３０は、第１絶縁膜１２上に形成され、駆動回路４０から延びて下部電極１６まで達する線状の導電パターンである。配線３０も、下部電極１６同様、パターニングされた透明導電層で構成され得る。透明導電層は、単層であってもよく、複数層であってもよい。透明導電層の材料には、たとえばＩＴＯ（酸化インジウムスズ）またはＩＺＯ（酸化インジウム亜鉛）を用いることができる。配線３０は、たとえばＰＶＤ法（物理気相蒸着法）によって形成することができる。配線３０と下部電極１６とを同一の材料で構成して、配線３０と下部電極１６と一体的に設ける態様であってもよい。
【００２３】
配線３０のうち、表示エリア６０内に位置する部分は後述する第２絶縁膜１４、有機ＥＬ層１８および上部電極５０で覆われており、以下の説明においては表示エリア６０内に位置する配線３０の部分を被覆配線３２とも称す。
【００２４】
第２絶縁膜１４（絶縁膜）は、表示エリア６０内において第１絶縁膜１２上および配線３０上に設けられる膜である。第２絶縁膜１４は、透明膜であり、たとえば酸化ケイ素、窒化ケイ素、酸化窒化ケイ素、または酸化アルミニウム等の無機材料で構成された無機絶縁膜である。第２絶縁膜１４は、たとえばＣＶＤ法によって形成することができる。第２絶縁膜１４には、下部電極１６の形成領域（すなわち、セグメント２０の領域）に対応する開口部１４ａが設けられる。第２絶縁膜１４の開口部１４ａから、下部電極１６の全表面（もしくは、略全ての表面）が露出する。開口部１４ａは、たとえばレジストマスクを用いたパターニングによって設けることができる。
【００２５】
有機ＥＬ層１８は、第２絶縁膜１４上に設けられ、第２絶縁膜１４の開口部１４ａにおいて下部電極１６に接する。有機ＥＬ層１８は、電子及び正孔が注入されることによって発光する有機化合物（発光材料）を少なくとも含む層である。有機化合物は、低分子化合物でもよく、高分子化合物でもよい。有機ＥＬ層１８は、上記発光材料を含んだ発光層に加えて、電子注入層、電子輸送層、正孔注入層、正孔輸送層等を有してもよい。有機ＥＬ層１８によって発生する光は、赤色光又は青色光等の単色光でもよく、白色光でもよい。有機ＥＬ層１８が白色光を呈する場合、有機ＥＬ層１８には異なる光を発生する発光層が複数含まれてもよい。有機ＥＬ層１８は、たとえば真空蒸着法等の乾式法、またはインクジェット等の湿式法によって形成することができる。本実施形態では、乾式法によって有機ＥＬ層１８が形成されている。なお、発光材料としては、蛍光材料でもよく、燐光材料でもよい。
【００２６】
上部電極５０は、表示エリア６０の全域に亘って形成された陰極である。上部電極５０は、有機ＥＬ層１５上に接するように設けられる。上部電極５０は、透明導電層で構成される。透明導電層は、単層であってもよく、複数層であってもよい。透明導電層の材料には、たとえばＩＴＯ（酸化インジウムスズ）またはＩＺＯ（酸化インジウム亜鉛）を用いることができる。上部電極５０は、下部電極１６同様、ＰＶＤ法によって形成することができる。
【００２７】
駆動回路４０は、基板１０上に設けられ、各セグメント２０の有機ＥＬ層１８に供給すべき駆動電流を出力する。駆動回路４０は、各配線３０と接続されており、各配線３０を介して各セグメント２０に駆動電流を供給する。本実施形態では、駆動回路４０は、各セグメント２０に対して、異なる電流値の駆動電流を出力可能である。駆動回路４０は、図示しないフレキシブルプリント基板等の配線を介して、たとえば電源や電流制御回路等の外部装置に接続され得る。なお、駆動回路４０は、必ずしも基板１０上に設ける必要はなく、必要に応じて基板１０とは異なる部材上に設け、フレキシブルプリント基板等を用いて基板１０上の各配線３０と接続する態様であってもよい。
【００２８】
表示装置１は、表示エリア６０が封止された封止構造とすることができる。封止構造には、公知の封止構造を採用することができ、封止板やシール材等の部材を用いることができる。
【００２９】
次に、表示装置１における下部電極１６の面積Ｓ１と被覆配線３２の面積Ｓ２の関係について説明する。
【００３０】
本実施形態において、３つのセグメント２０Ａ、２０Ｂ、２０Ｃは、互いに異なる形状および寸法を有しており、互いに異なる面積を有する。そのため、セグメント２０Ａ、２０Ｂ、２０Ｃそれぞれに対応する３つの下部電極１６についても、互いに異なる面積Ｓ１を有する。
【００３１】
また、３つのセグメント２０Ａ、２０Ｂ、２０Ｃに接続される配線３０Ａ、３０Ｂ、３０Ｃの被覆配線３２Ａ、３２Ｂ、３２Ｃは、表示エリア６０内において引き回される長さが互いに異なっている。また、３本の被覆配線３２Ａ、３２Ｂ、３２Ｃは、線幅ＷＡ、ＷＢ、ＷＣも互いに異なっている。そのため、３本の被覆配線３２についても、互いに異なる面積Ｓ２を有する。
【００３２】
発明者らは、下部電極１６の面積Ｓ１とその下部電極１６に接続された被覆配線３２の面積Ｓ２との和を同一（または同程度）にすることで、３つのセグメント２０Ａ、２０Ｂ、２０Ｃ間における駆動電流の応答速度の差が低減されることを新たに見出した。
【００３３】
ここで、図４を参照しつつ、セグメント２０にパルス状の駆動電流が供給されたときの電流の過渡的な挙動について説明する。
【００３４】
図４（ａ）のグラフは、下部電極１６の面積Ｓ１とその下部電極１６に接続された被覆配線３２の面積Ｓ２との和（総面積Ｓ、Ｓ１＋Ｓ２）が小さい場合における、セグメント２０に駆動電流を供給した際の過渡的な挙動を示している。図４（ｂ）のグラフは、総面積Ｓが大きい場合における、セグメント２０に駆動電流を供給した際の過渡的な挙動を示している。図４（ａ）、（ｂ）のグラフはいずれも、縦軸がセグメント２０に供給される電流値を示し、横軸が電流が供給されたタイミングからの経過時間を示している。
【００３５】
図４（ａ）に示すように、総面積Ｓが小さい場合には電流の応答速度が速い。すなわち、電流が短時間で設定電流まで達し、電流立ち上がりの傾き角θ１が大きい。一方、図４（ｂ）に示すように、総面積Ｓが大きい場合には電流の応答速度は相対的に遅くなる。すなわち、電流が設定電流まで達する時間が長くなり、電流立ち上がりの傾き角θ２が小さくなる（θ１＞θ２）。
【００３６】
このように、総面積Ｓはセグメント２０に供給した電流の過渡的な挙動に影響し、特に、電流の応答速度に影響している。具体的には、総面積Ｓが大きくなると、それに伴って応答速度が遅くなる。これは、図３に示すように、上部電極５０と、上部電極５０に対面する下部電極１６および被覆配線３２との間に生じた寄生容量が要因であると考えられる。すなわち、下部電極１６の面積Ｓ１と被覆配線３２の面積Ｓ２との総面積Ｓが大きくなると、面積の拡大に比例して寄生容量が増大して、その寄生容量の増大が応答速度が遅れる要因であると考えられる。
【００３７】
そして、応答速度が遅くなると、パルス幅変調により輝度制御した際に、著しい輝度の低下が招かれ得る。たとえば、図４に示すように、パルス幅変調により全幅Ｗ１（０→ｔ０）から１／４幅Ｗ２（０→ｔ１）にパルス幅を狭めたときに、パルス終端の時間ｔ１に設定電流にまで達しない事態が起こり得る。この場合には、パルス幅変調により低下させた輝度より、さらに低い輝度となってしまう。
【００３８】
そこで、本実施形態では、各セグメント２０に係る総面積Ｓが同一となるように設計することで、セグメント２０に供給した電流の過渡的な挙動が同じになるようにしている。具体的には、下部電極１６の面積Ｓ１や被覆配線３２Ａ、３２Ｂ、３２Ｃの引き回し長さは変えずに、被覆配線３２Ａ、３２Ｂ、３２Ｃそれぞれの線幅ＷＡ、ＷＢ、ＷＣを調整することで、各セグメント２０に係る総面積Ｓを同一にしている。
【００３９】
したがって、上述した表示装置１では、３つのセグメント２０Ａ、２０Ｂ、２０Ｃは、駆動電流が供給されたときの電流の過渡的な挙動が同じである。すなわち、電流立ち上がりの傾き角が同じであり、同じ応答速度で応答する。そして、セグメント２０に供給した電流の過渡的な挙動に差がないため、パルス幅変調により輝度調整した場合であっても、セグメント２０間の輝度差が生じ得ない。
【００４０】
表示装置１では、表示エリア６０内の３つのセグメント２０の総面積Ｓを全て揃えることで、全てのセグメント２０において駆動電流の応答速度の差が低減されているが、少なくとも２つのセグメント２０において総面積Ｓを同一にすることで、駆動電流の応答速度の差が低減され得る。たとえば、セグメント２０Ａ（第１の下部電極）に係る総面積Ｓと、セグメント２０Ｂ（第２の下部電極）に係る総面積Ｓとを等しくすることで、両セグメント２０Ａ、２０Ｂ間における駆動電流の応答速度の差が低減され、また、応答速度の差に起因する両セグメント２０Ａ、２０Ｂ間の輝度差も低減される。
【００４１】
また、上述した表示装置１では、第２絶縁膜１４が無機材料で構成された無機絶縁膜であるため、薄膜化が容易である。たとえば、第２絶縁膜１４をＳｉＯ２で構成する場合には、ＣＶＤ法、ＰＶＤ法、ＡＬＤ法等の成膜技術を用いることで、１ミクロン程度またはそれより薄いＳｉＯ２膜が得られる。ただし、第２絶縁膜１４を薄くすることで下部電極１６および被覆配線３２と上部電極５０との間に生じる寄生容量が増大する。このような場合でも、各セグメントに係る下部電極１６の面積Ｓ１と被覆配線３２の面積Ｓ２との総面積Ｓを同一にすることで、セグメント２０間の応答速度の差が効果的に低減される。それにより、応答速度の差に起因するセグメント２０間の輝度差も効果的に低減される。
【００４２】
なお、上述したようにセグメント２０間において下部電極１６の面積Ｓ１と被覆配線３２の面積Ｓ２との総面積Ｓを揃える代わりに、セグメント２０間において下部電極の面積Ｓ１と被覆配線３２の面積Ｓ２との比（Ｓ１／Ｓ２）を揃えてもよい。この場合、各セグメント２０において電流立ち上がりの傾き角が同じになって同じ応答速度で応答するため、駆動電流が供給されたときの電流の過渡的な挙動が近似する。そのため、パルス幅変調により輝度調整した場合であっても、セグメント２０間の輝度差がある程度低減される。セグメント２０間の電流の過渡的な挙動をより近づけるために、駆動回路４０からセグメント２０に供給される駆動電流を、セグメント２０毎に変えてもよい。この場合、駆動電流は、各セグメント２０の面積（本実施形態では下部電極１６の面積Ｓ１と同じ面積）や、各セグメント２０の輝度に基づいて変えられる。
【００４３】
また、表示エリア６０内の３つのセグメント２０の全てにおいて下部電極の面積Ｓ１と被覆配線３２の面積Ｓ２との比（Ｓ１／Ｓ２）を揃える必要はなく、少なくとも２つのセグメント２０において面積比（Ｓ１／Ｓ２）を同一にすることで、駆動電流の応答速度の差が低減され得る。たとえば、セグメント２０Ａ（第１の下部電極）に係る面積比（Ｓ１／Ｓ２）と、セグメント２０Ｂ（第２の下部電極）に係る面積比（Ｓ１／Ｓ２）を等しくすることで、両セグメント２０Ａ、２０Ｂ間における駆動電流の応答速度の差が低減され、また、応答速度の差に起因する両セグメント２０Ａ、２０Ｂ間の輝度差も低減される。
【００４４】
さらに、上述したようにセグメント２０間において下部電極１６の面積Ｓ１と被覆配線３２の面積Ｓ２との総面積Ｓを揃えるとともに、セグメント２０間において下部電極の面積Ｓ１と被覆配線３２の面積Ｓ２との比（Ｓ１／Ｓ２）も揃えることで、セグメント２０に駆動電流を供給した際の過渡的な挙動をより高い精度で一致させ、セグメント間における駆動電流の応答速度の差のさらなる低減およびセグメント間の輝度差のさらなる低減を図ることができる。たとえば、セグメント２０間における駆動電流の応答速度がより高い精度で一致することで、パルス幅変調により輝度調整した場合に、セグメント２０間の輝度差を生じなくすることができる。
【００４５】
本発明による表示装置は、上述した実施形態及び変形例に限られるものではなく、他に様々な変形が可能である。
【００４６】
たとえば、セグメント２０の数および形状は、適宜変更することができる。たとえば、細長い７つのセグメントを組み合わせて数字を表示する７セグメント配置とした態様であってもよい。また、第２絶縁膜は、無機絶縁膜に限らず、ノボラック樹脂やアクリル樹脂、ポリイミド等の有機膜で構成された有機絶縁膜であってもよい。この場合、第２絶縁膜はたとえばスピンコート法や塗布法によって形成され得る。さらに、上記実施形態では、下部電極は陽極であり、上部電極は陰極であるが、下部電極を陰極とし、上部電極を陽極としてもよい。
【００４７】
さらに、表示装置は、シースルー構造に限らず、ボトムエミッション構造やトップエミッション構造、両面発光構造であってもよい。ボトムエミッション構造の場合には、第２絶縁膜や上部電極を非透光性の材料で構成することができ、第２絶縁膜には非透光性の絶縁材料（たとえば、ＳｉＯ２等の無機絶縁材料やノボラック樹脂等の有機絶縁材料）を用いることができ、上部電極には非透光性の導電材料（たとえば、アルミニウム、銀、若しくはアルカリ土類金属（マグネシウム、カルシウム等））を用いることができる。また、トップエミッション構造の場合には、基板や第１絶縁膜、第２絶縁膜、下部電極を非透光性の材料で構成することができ、第１絶縁膜および第２絶縁膜に非透光性の絶縁材料（たとえば、ＳｉＯ２等の無機絶縁材料やノボラック樹脂等の有機絶縁材料）を用いることができ、下部電極には非透光性の導電材料（たとえば、アルミニウム、銀、若しくはアルカリ土類金属（マグネシウム、カルシウム等））を用いることができる。両面発光構造の場合には、第２絶縁膜を非透光性の材料で構成することができ、第２絶縁膜に非透光性の絶縁材料（たとえば、ＳｉＯ２等の無機絶縁材料やノボラック樹脂等の有機絶縁材料）を用いることができる。
【符号の説明】
【００４８】
１…表示装置、１０…基板、１２…第１絶縁膜、１４…第２絶縁膜、１４ａ…開口部、１６…下部電極、１８…有機ＥＬ層、２０、２０Ａ、２０Ｂ、２０Ｃ…セグメント、３０、３０Ａ、３０Ｂ、３０Ｃ…配線、３２、３２Ａ、３２Ｂ、３２Ｃ…被覆配線、４０…駆動回路、５０…上部電極、６０…表示エリア。
【図１】
2019021388.tif 000003
【図２】
2019021388.tif 000004
【図３】
2019021388.tif 000005
【図４】
2019021388.tif 000006